(57)【要約】      （修正有）【課題】光検出器と制御基板とを接続しているフレキシブル基板の可撓性が、フレキシブル基板の十分に長い中間領域によって発揮されるようにすることによって、光検出器を、位置調整のための工程で円滑に動かすことができるようにする。【解決手段】光学ベース１０の互いに直交する２面に対して光検出器２０の取付けプレート２１と制御基板３０とを取り付ける。光検出器２０と制御基板３０とを接続するフレキシブル基板５０が、取付けプレート２１に固定された一端部側固定領域Ｚ１と、制御基板３０に固定された他端部側固定領域Ｚ２と、中間領域Ｚ３との３つの領域に分かれている。中間領域Ｚ３に、他端部側固定領域Ｚ２に重畳するように折り返された折返し部５３を具備させる。【選択図】図２
2012155807.tif 000002
【特許請求の範囲】
【請求項１】
光学ベースに具備された互いに直交する２面に対して光検出器の取付けプレートと制御基板とが各別に取り付けられ、上記光検出器に装備された光検出素子と上記制御基板とが、上記取付けプレートから引き出された帯状のフレキシブル基板によって電気的に接続されていると共に、そのフレキシブル基板が、上記取付けプレートに固定された一端部側固定領域と、上記制御基板に固定された他端部側固定領域と、それらの各領域の相互間の中間領域との３つの領域に分かれていて、上記中間領域の可撓性を利用して上記光検出器が位置調整されるようになっている光ピックアップにおいて、
フレキシブル基板の上記中間領域に、上記他端部側固定領域に連続する部分でその他端部側固定領域に重畳するように折り返された折返し部が備わり、かつ、その折返し部に上記中間領域の残部が連続していることを特徴とする光ピックアップの光検出器取付部構造。
【請求項２】
フレキシブル基板の上記他端部側固定領域が、上記光検出器から遠ざかる方向に延び出ていて、その他端部側固定領域の終端部に連続する上記折返し部が上記光検出器に近付く方向に延び出ている請求項１に記載した光ピックアップの光検出器取付部構造。
【請求項３】
フレキシブル基板の上記中間領域を形成している上記折返し部と上記残部との境界部分に、当該フレキシブル基板の全幅に亘る段付状の折曲げ部が形成されている請求項２に記載した光ピックアップの光検出器取付部構造。
【発明の詳細な説明】
【技術分野】
【０００１】
本発明は、光ピックアップの光検出器取付部構造、特に、光学ベースに光検出器を取り付ける工程で、光検出器に接続されているフレキシブル基板（ＦＰＣ）のテンション（弾性復元力）の影響を当該光検出器にできるだけ及びにくくするための対策が講じられた光ピックアップの光検出器取付部構造に関する。
【背景技術】
【０００２】
記録媒体であるディスクの記録面を光学的に走査する光ピックアップでは、光学ベースに発光素子や光検出器などが取り付けられていて、発光素子から照射された光が一定の光路を経由して光検出器３０に導かれるようになっている。この種の光ピックアップにおいて、ディスクに対する光学的処理性能、言い換えると記録再生性能の良否は、光学ベースに対する光検出器の取付け精度の良否によって影響を受けることが判っている。そのため、光検出器を光学ベースに取り付ける工程では、治具を用いて光検出器を光学ベースの取付け箇所で互いに直交する２軸又は３軸方向、さらには回転方向に変位させることによってその取付け位置が調整され、そのような調整を行った後に、光検出器が紫外線硬化型の接着剤などを用いて上記取付け箇所に接合固定される。
【０００３】
図３は光検出器取付部構造に採用されている光学ベースなどを概略で示した分解斜視図、図４は同光検出器取付部構造を説明的に示した概略正面図である。図３の光学ベース１０は樹脂の一体成形体でなり。この光学ベース１０では、その平坦な上面１１とその上面１１に直交する側面１２と、その側面１２で開口する光通過孔１３とを有していて、側面１２に対面する光通過孔１３との対向箇所が光検出器２０の取付け箇所として定められている。また、光検出器２０には光検出素子（図に現れていない）が備わっている。これに対し、光学ベース１０の平坦な上面１１に制御基板３０がビス止めなどの適宜手段を用いて装着される。そして、制御基板３０と光検出器２０の上記光検出素子とが図示していないフレキシブル基板によって電気的に接続されていて、光検出器２０は、その取付けプレート２１の所定箇所が光学ベース１０側に紫外線硬化型の接着剤を用いて接合固定される。図４では接着剤が符号４０で示されている。
【０００４】
図５は従来例による光検出器取付部構造の要部を示した斜視図、図６は同要部を示した側面図である。同図の光検出器取付部構造において、光検出器２０の取付けプレート２１は、光検出素子２２を搭載した板片状の配線基板によって形成されていて、その取付けプレート２１と光学ベース１０の上面１１に装着された板片状の制御基板３０とが帯状のフレキシブル基板５０によって電気的に接続されている。
【０００５】
図５及び図６に示したように、帯状のフレキシブル基板５０は、光検出器２０の取付けプレート２１に重なり状に固定された一端部側固定領域Ｚ１と、制御基板３０に重なり状に固定された他端部側固定領域Ｚ２と、それらの各領域Ｚ１，Ｚ２の相互間の中間領域Ｚ３との３つの領域に分かれている。ここで、一端部側固定領域Ｚ１は、フレキシブル基板５０の一端部の電極を板片状の配線基板でなる取付けプレート２の電極に半田付けすることによって形成されている。同様に、他端部側固定領域Ｚ２は、フレキシブル基板５０の一端部の電極を制御基板３０の電極に半田付けすることによって形成されている。
【０００６】
フレキシブル基板５０の一端部側固定領域Ｚ１が固定されている光検出器２０は、フレキシブル基板５０の中間領域Ｚ３を制御基板３０の前端３１の近傍箇所で下向きに折り曲げることによって図３に示した光通過孔１３に対向されていると共に、上記中間領域Ｚ３が制御基板３０の前端３１を取り囲むように略コ字形に折り曲げられて光検出器２０の前後位置が調整されている。
【０００７】
図５及び図６を参照して説明した従来例の光検出器取付部構造では、フレキシブル基板５０の特性である可撓性は中間領域Ｚ３だけで発揮される。したがって、光検出器２０を光学ベース１０に接着剤４０で接合固定する（図３又は図４参照）よりも前の工程で行われる光検出器２０の位置調整のための工程、たとえば図５に示した互いに直交する２軸方向Ｘ，Ｙでの位置調整や、場合によっては互いに直交する３軸方向での位置調整、さらには回転方向での位置調整などの工程は、フレキシブル基板５０の中間領域Ｚ３によって発揮される可撓性を利用して行われる。
【０００８】
一方、図７に比較例としての光検出器取付部構造を示している。この事例は、フレキシブル基板１００の隣接する２箇所に補強板１１０，１２０を貼り付けてあると共に、それらの補強板１１０，１２０によって補強された領域の境界部分を折り返すことによって、フレキシブル基板１００に２枚重ね部分１３０を形成してある。また、２枚重ね部分１３０から延び出た帯状部分１４０の端部に光検出器２００の取付けプレート２１０を接合してある。そして、上記帯状部分１４０に対して取付けプレート２１０を折り返すことによって、光検出器２００の光検出素子２２０を光学ベース３００の光通過孔（不図示）に対向させている。この事例と略同様の構成が先行例（たとえば、特許文献１）によって提案されている。
【０００９】
また、他の先行例には、光検出器を光学ベースに接着剤を用いて接合固定したときのフレキシブルプリント配線基板の弾性復元力による接着剤への負荷を軽減させるための対策として、光検出器をフレキシブルプリント配線基板に形成したループ部と共にコ字形のブラケットに嵌め込むことが提案されている（たとえば、特許文献２参照）。
【００１０】
そのほか、光ピックアップに接続されているフレキシブルプリント基板を、光ピックアップの走行に追従させて変形させることに関連する技術（たとえば、特許文献３、特許文献４参照）や、パッケージタイプが相違するレーザダイオードに供用可能とした光学ヘッド装置についての研究も行われている（たとえば、特許文献５参照）。
【先行技術文献】
【特許文献】
【００１１】
【特許文献１】特開２００５−３１７０８１号公報
【特許文献２】特開２００５−３３９７０９号公報
【特許文献３】特開平１０−９２００５号公報
【特許文献４】特開２００６−１４７４３７号公報
【特許文献５】特開２００６−１６４４７６号公報
【発明の概要】
【発明が解決しようとする課題】
【００１２】
図５又は図６を参照して説明した従来例の光検出器取付部構造には次に説明する問題があった。
【００１３】
すなわち、従来例の光検出器取付部構造では、フレキシブル基板５０の可撓性を発揮する中間領域Ｚ３が、制御基板３０の近傍箇所で下向きに折り曲げられた一定長部分だけによって形成されていてその長さが短かかった。そのため、フレキシブル基板５０の可撓性が、長さの短い中間領域Ｚ３によって発揮されることになり、その中間領域Ｚ３を変形させながら光検出器２０の位置調整のための工程を行うと、変形した中間領域Ｚ３の弾性復元力が比較的大きくなる。そして、そのことが、光検出器２０を、たとえば図５に示した互いに直交する２軸方向Ｘ，Ｙや、場合によっては互いに直交する３軸方向、さらには回転方向に光検出器２０を円滑に動かすことの障害になることがあり、その障害のために種々の不具合、たとえば光検出器２０が正規位置に対して斜めに傾斜したりするといった不具合を発生することがあった。
【００１４】
これに対し、図７に示した比較例や特許文献１によって提案されている対策では、フレキシブル基板１００の可撓性が、フレキシブル基板１００の２枚重ね部分１３０から延び出た比較的長い帯状部分１４０によって発揮されるために、光検出器２００の位置調整時には、変形したフレキシブル基板１００の弾性復元力が図５又は図６に示した従来例の場合よりも小さくなる。しかしながら、このものでは、フレキシブル基板１００の可撓性を発揮する帯状部分１４０の長さを長くすることが、光検出器２００の取付けプレート２１０の縦幅により制限されてしまうので、位置調整時に光検出器２０を円滑に動かし得るだけの満足のいく可撓性をフレキシブル基板１００に付与することができないことがあった。
【００１５】
本発明は以上の状況に鑑みてなされたものであり、光検出器と制御基板とを接続しているフレキシブル基板の可撓性が、光検出器の取付けプレートの縦幅による影響を受けない十分に長い中間領域によって発揮されるようにすることによって、光検出器を、位置調整のための工程で円滑に動かすことのできる光ピックアップの光検出器取付部構造を提供することを目的とする。
【課題を解決するための手段】
【００１６】
本発明に係る光ピックアップの光検出器取付部構造は、光学ベースに具備された互いに直交する２面に対して光検出器の取付けプレートと制御基板とが各別に取り付けられ、上記光検出器に装備された光検出素子と上記制御基板とが、上記取付けプレートから引き出された帯状のフレキシブル基板によって電気的に接続されていると共に、そのフレキシブル基板が、上記取付けプレートに固定された一端部側固定領域と、上記制御基板に固定された他端部側固定領域と、それらの各領域の相互間の中間領域との３つの領域に分かれていて、上記中間領域の可撓性を利用して上記光検出器が位置調整されるようになっている。そして、フレキシブル基板の上記中間領域に、上記他端部側固定領域に連続する部分でその他端部側固定領域に重畳するように折り返された折返し部が備わり、かつ、その折返し部に上記中間領域の残部が連続している。
【００１７】
光ピックアップの光検出器取付部構造に上記の構成が採用されていると、フレキシブル基板の中間領域の長さが、図５又は図６に示した従来例でのフレキシブル基板の中間領域の長さに比べて、折返し部の長さに見合う長さだけ延長される。そのため、折返し部によって延長された長い中間領域によってフレキシブル基板の可撓性が発揮されるようになる。また、中間領域を延長することに役立っている上記折返し部の長さを、光検出器の取付けプレートの縦幅には関係なく定めることができるため、図７を参照して説明した比較例の帯状部分１４０に長さに比べても、中間領域を長くすることが容易に可能である。したがって、この発明による光検出器取付部構造によれば、フレキシブル基板の可撓性が十分に長い中間領域によって発揮されるようになり、光検出器を、位置調整のための工程で円滑に動かすことができるようになる。
【００１８】
本発明では、フレキシブル基板の上記他端部側固定領域が、上記光検出器から遠ざかる方向に延び出ていて、その他端部側固定領域の終端部に連続する上記折返し部が上記光検出器に近付く方向に延び出ていることが望ましい。この構成であれば、フレキシブル基板の中間領域に折返し部を１層だけ形成しておくだけで、その中間領域の長さを十分に長くすることが可能である。
【００１９】
本発明では、フレキシブル基板の上記中間領域を形成している上記折返し部と上記残部との境界部分に、当該フレキシブル基板の全幅に亘る段付状の折曲げ部が形成されている、という構成を採用することが可能である。この構成であれば、光検出器の位置調整を行うための工程で、段付状の折曲げ部が、折返し部や残部の無秩序な変形を抑制することに役立つ。そのため、フレキシブル基板の中間領域が無秩序に変形して損傷するという事態が防止される。
【発明の効果】
【００２０】
以上説明したように、本発明に係る光ピックアップの光検出器取付部構造によると、フレキシブル基板の可撓性を発揮する部分である中間領域の長さを、従来例や比較例に比べて長くすることが可能である。そのため、中間領域の長さを十分に長くすることによって、位置調整の工程で光検出器を円滑に動かすことが容易に可能になる。したがって、本発明によれば、光検出器の位置精度を高めて光ピックアップの光学的処理性能を容易に向上させることができるようになるという効果が奏される。
【図面の簡単な説明】
【００２１】
【図１】本発明の実施形態に係る光検出器取付部構造の要部を示した斜視図である。
【図２】同要部を示した側面図である。
【図３】光検出器取付部構造に採用されている光学ベースなどを概略で示した分解斜視図である。
【図４】同光検出器取付部構造を説明的に示した概略正面図である。
【図５】従来例による光検出器取付部構造の要部を示した斜視図である。
【図６】従来例の要部を示した側面図である。
【図７】比較例としての光検出器取付部構造の要部を示した側面図である。
【発明を実施するための形態】
【００２２】
図１は本発明の実施形態に係る光検出器取付部構造の要部を示した斜視図、図２は同要部を示した側面図である。同図の光検出器取付部構造において、光検出器２０の取付けプレート２１は、光検出素子２２を搭載した板片状の配線基板によって形成されていて、その取付けプレート２１と光学ベース１０の上面１１に装着された板片状の制御基板３０とが帯状のフレキシブル基板５０によって電気的に接続されている。制御基板３０の取付け箇所では、光学ベース１０の上面１１と制御基板３０との間に一定の隙間空間Ｓが確保されている。この実施形態において、光学ベース１０の上面１１と側面１２とは、光検出器２０の取付けプレート２１と制御基板３０とを各別に取り付けるための互いに直交する２面を形成している。
【００２３】
図１及び図２に示したように、帯状のフレキシブル基板５０は、光検出器２０の取付けプレート２１に重なり状に固定された一端部側固定領域Ｚ１と、制御基板３０に重なり状に固定された他端部側固定領域Ｚ２と、それらの各領域Ｚ１，Ｚ２の相互間の中間領域Ｚ３との３つの領域に分かれている。一端部側固定領域Ｚ１は、フレキシブル基板５０の一端部の複数の電極を板片状の配線基板でなる取付けプレート２の複数の電極に半田付けすることによって形成されている。同様に、他端部側固定領域Ｚ２は、フレキシブル基板５０の一端部の複数の電極を制御基板３０の複数の電極に半田付けすることによって形成されている。
【００２４】
また、フレキシブル基板５０の一端部側固定領域Ｚ１が固定されている光検出器２０は、フレキシブル基板５０の中間領域Ｚ３を制御基板３０の前端３１の近傍箇所で下向きに折り曲げることによって図３に示した光通過孔１３に対向されている。
【００２５】
この実施形態において、フレキシブル基板５０の他端部側固定領域Ｚ２は、その始端部５１が制御基板３０の前端部近傍に位置して、光検出器２１から遠ざかる方向、すなわち制御基板３０の後方に向けて延び出ている。フレキシブル基板５０の中間領域Ｚ３は、その長手方向中間部に形成された段付状の折曲げ部５５を境にして、その折曲げ部５５よりも後方の部分が上記他端部領域Ｚ２に重畳するように折り返された１層の折返し部５３とされ、その折曲げ部５５よりも前方の部分が残部５６として形成されていて、残部５６が上記一端部側固定領域Ｚ１に連続している。また、図例では、折返し部５３のＵ字状の曲り部５３ａが、他端部側固定領域Ｚ２の終端部５２から後方へ延び出た短い延長部５３ｂに連続して形成されている。このように構成されているフレキシブル基板５０の中間領域Ｚ３は、光学ベース１０の上面１１と制御基板３０との間に確保されている隙間空間Ｓに収容されている。
【００２６】
光ピックアップの光検出器取付部構造が上記のように構成されていると、フレキシブル基板５０の中間領域Ｚ３の長さが、折返し部５３の長さと残部５６とを合わせた長さを有するようになり、図５又は図６に示した従来例でのフレキシブル基板５０の中間領域Ｚ３の長さに比べて、折返し部５３の長さに見合う長さだけ延長される。そのため、折返し部５３によって延長された長い中間領域Ｚ３によってフレキシブル基板５０の可撓性が発揮されるようになる。
【００２７】
特に、この実施形態では、折返し部５３のＵ字状の曲り部５３ａが、他端部側固定領域Ｚ２の終端部５２から後方へ延び出た短い延長部５３ｂに連続して形成されている。そのため、中間領域Ｚ３の有効長部分には、上記した折返し部５３の長さと残部５６とが含まれるだけでなく、上記延長部５３ｂも含まれることになり、フレキシブル基板５０の可撓性が、折返し部５３と残部５６と延長部５３ｂとを備える極めて長い有効長部分によって発揮されることになる。このことにより、フレキシブル基板５０の可撓性が十分に長い中間領域Ｚ３によって発揮されるようになり、フレキシブル基板５０の中間領域Ｚ３の弾性復元力の大きさが小さく抑えられて、光検出器２０の位置調整を行う工程でその光検出器２０を円滑に動かすことができるようになる。
【００２８】
さらに具体的に説明すると、光検出器２０を図１に示した互いに直交する２軸方向Ｘ，Ｙに動かしたときには、中間領域Ｚ３の全体、又は、中間領域Ｚ３の隙間空間Ｓに収容されている部分が、２軸方向Ｘ，Ｙに変位したり、曲り部５３ａの曲り角度が変化したり、残部５６の折曲り部５６ａの曲り角度が変化したりする。また、光検出器２０を上記２軸に対して直交する前後方向に動かしたときには、中間領域Ｚ３の全体が無理なく撓んだりする。さらに、光検出器２０を回転方向に動かしたときには、中間領域Ｚ３の全体、又は、中間領域Ｚ３の隙間空間Ｓに収容されている部分が、無理なくねじれたりする。したがって、光検出器２０の位置精度を高めて光ピックアップの光学的処理性能を容易に向上させることができる。
【００２９】
また、中間領域Ｚ３を延長することに役立っている折返し部５３は、光学ベース１０の上面１１と制御基板３０との間に確保されている隙間空間Ｓに収容されているので、その長さを、光検出器２０の取付けプレート２１の縦幅には関係なく定めることができる。そのため、図７を参照して説明した比較例の帯状部分１４０に長さに比べても、他端側固定領域Ｚ２の終端部５２からの曲り部５３ａの離間距離を適切に定めて中間領域Ｚ３を長くすることが容易に可能である。
【００３０】
したがって、この光検出器取付部構造によれば、フレキシブル基板５０の可撓性が十分に長い中間領域Ｚ３によって発揮されるようになり、光検出器２０を、位置調整のための工程で動かすときに、中間領域Ｚ３の変形に伴う弾性復元力、すなわちテンションが小さく抑えられる。そのことにより、光検出器２０を円滑に動かすことができるようになり、光検出器２０の位置精度を高めて光ピックアップの光学的処理性能を向上させることが容易である。
【００３１】
この実施形態では、フレキシブル基板５０の中間領域Ｚ３を形成している折返し部５３と残部５６との境界部分に、フレキシブル基板５０の全幅に亘る段付状の折曲げ部５５が形成されている。そのため、光検出器２０の位置調整を行うための工程で、段付状の折曲げ部５５が、折返し部５３や残部５６の無秩序な変形を抑制することに役立ち、フレキシブル基板５０の中間領域Ｚ３が無秩序に変形して損傷するという事態が防止されるという利点もある。
【００３２】
なお、本発明において、フレキシブル基板５０は、その他端部側固定領域Ｚ２が平板状に形成され、中間領域Ｚ３がそのような平板状の他端部側固定領域Ｚ２から延び出していてもよい。
【符号の説明】
【００３３】
１０  光学ベース
１１  光学ベースの上面
１２  光軸ベースの側面
２０  光検出器
２１  取付けプレート
２２  光検出素子
３０  制御基板
５０  フレキシブル基板
５２  他端部側固定領域の終端部
５３  中間領域の折返し部
５５  折曲げ部
５６  中間領域の残部
Ｚ１  一端部側固定領域
Ｚ２  他端部側固定領域
Ｚ３  中間領域
【図１】
2012155807.tif 000003
【図２】
2012155807.tif 000004
【図３】
2012155807.tif 000005
【図４】
2012155807.tif 000006
【図５】
2012155807.tif 000007
【図６】
2012155807.tif 000008
【図７】
2012155807.tif 000009